(57)【要約】      （修正有）【課題】結合度の調整が容易で、何度でも同一の結合度に設定可能で、結合度の微調整も可能な方向性結合器を提供する。【解決手段】主線路１又は結合線路２のいずれか一方を固定する筐体１０と、主線路又は結合線路の他方を主線路又は結合線路の一方に相対的に移動させる移動手段７と、移動手段を筐体に固定する固定手段９とを備える方向性結合器。移動手段は、筐体に螺設された雌ねじ部と螺合しながら移動することにより、主線路又は結合線路の他方を主線路又は結合線路の一方に相対的に移動させる調整ねじと、調整ねじを回転移動させるつまみ８とで構成できる。固定手段を、筐体の外表面に当接可能で、調整ねじと螺合するナット９とすることができる。移動手段の移動量を表示する表示部として、マイクロヘッドの目盛を設けることができる。上記構成を有するサスペンデッド型方向性結合器とすることができる。【選択図】図１
2006319704.tif 000002
【特許請求の範囲】
【請求項１】
主線路又は結合線路のいずれか一方を固定する筐体と、
前記主線路又は結合線路の他方を前記主線路又は結合線路の一方に相対的に移動させる移動手段と、
該移動手段を前記筐体に固定する固定手段とを備えることを特徴とする方向性結合器。
【請求項２】
前記移動手段は、
前記筐体に螺設された雌ねじ部と螺合しながら移動することにより、前記主線路又は結合線路の他方を前記主線路又は結合線路の一方に相対的に移動させる調整ねじと、
該調整ねじを回転移動させるつまみとで構成されることを特徴とする請求項１に記載の方向性結合器。
【請求項３】
前記固定手段は、前記筐体の外表面に当接可能で、前記調整ねじと螺合するナットであることを特徴とする請求項２に記載の方向性結合器。
【請求項４】
さらに、前記移動手段の移動量を表示する表示部を備えることを特徴とする請求項１、２又は３に記載の方向性結合器。
【請求項５】
前記表示部は、マイクロヘッドを含むことを特徴とする請求項４に記載の方向性結合器。
【請求項６】
該方向性結合器は、サスペンデッド型方向性結合器であることを特徴とする請求項１乃至５のいずれかに記載の方向性結合器。
【発明の詳細な説明】
【技術分野】
【０００１】
本発明は、方向性結合器に関し、特に、自由空間内に２本の伝送線路を平行に配置して結合させるサスペンデッド型の方向性結合器に関する。
【背景技術】
【０００２】
従来、マイクロ波帯の方向性結合器として、２枚の誘電体基板の間に２本の伝送線路を挟んでなるトリプレート線路式の方向性結合器や、誘電体基板を使用せず、自由空間内に２本の伝送線路を平行に配置して結合させるサスペンデッド型方向性結合器が存在する。これらの方向性結合器の結合度は、主に主線路と結合線路とからなる２本の伝送線路の間隔寸法で決定されるが、所望の結合度を得るためには、この間隔寸法に高い寸法精度が要求される。
【０００３】
このような２本の伝送線路間隔を直接調整して所望の結合度を得るため、例えば、特許文献１には、図３に示すように、２本の伝送線路４１、４２の一方の伝送線路４２を移動させ、筐体４３側に設けられた２本の止めねじ４４によって、伝送線路４２を固定して結合度を調整している。
【特許文献１】特開昭６２−６１４０３号公報
【発明の開示】
【発明が解決しようとする課題】
【０００４】
上記従来の方向性結合器においては、上述のように、片側の伝送線路４２を固定している２本の止めねじ４４を緩め、伝送線路４２を移動させることにより結合度を調整することができる。しかし、この方法では、伝送線路４２の移動量が判らないため、調整の度に同じ結合度に設定することが困難であった。また、結合度の調整後、２本の止めねじ４４を締め付ける必要があるため、調整に手間が掛かるという問題もあった。
【０００５】
そこで、本発明は、上記従来の方向性結合器等における問題点に鑑みてなされたものであって、結合度の調整が容易で、何度でも同一の結合度に設定することができ、結合度の微調整も可能な方向性結合器を提供することを目的とする。
【課題を解決するための手段】
【０００６】
上記目的を達成するため、本発明は、方向性結合器であって、主線路又は結合線路のいずれか一方を固定する筐体と、前記主線路又は結合線路の他方を前記主線路又は結合線路の一方に相対的に移動させる移動手段と、該移動手段を前記筐体に固定する固定手段とを備えることを特徴とする。
【０００７】
そして、本発明によれば、筐体に主線路又は結合線路のいずれか一方を固定し、移動手段によって、前記主線路又は結合線路の他方を前記主線路又は結合線路の一方に相対的に移動させ、固定手段によって移動手段を筐体に固定することにより、結合度を容易に調整することができる。
【０００８】
前記方向性結合器において、前記移動手段を、前記筐体に螺設された雌ねじ部と螺合しながら移動することにより、前記主線路又は結合線路の他方を前記主線路又は結合線路の一方に相対的に移動させる調整ねじと、該調整ねじを回転移動させるつまみとで構成することができる。調整ねじを回転移動させることで結合度を調整することができるため、結合度の微調整を容易に行うことができる。
【０００９】
前記方向性結合器において、前記固定手段を、前記筐体の外表面に当接可能で、前記調整ねじと螺合するナットとすることができる。これによって、容易に調整ねじを筐体に固定することができる。
【００１０】
前記方向性結合器において、さらに、前記移動手段の移動量を表示する表示部を設けることができる。これによって、何度でも同一の結合度に設定することができる。
【００１１】
また、前記方向性結合器において、前記表示部は、マイクロヘッドを含むように構成することができ、この方向性結合器をサスペンデッド型方向性結合器とすることができる。
【発明の効果】
【００１２】
以上のように、本発明によれば、結合度の調整が容易で、何度でも同一の結合度に設定することができ、結合度の微調整も可能な方向性結合器を提供することができる。
【発明を実施するための最良の形態】
【００１３】
図１は、本発明にかかる方向性結合器の第１の実施の形態を示し、この方向性結合器は、いわゆるサスペンデッド型の方向性結合器であって、筐体１０に固定された主線路１と、主線路１に対して相対移動可能な結合線路２と、入力コネクタ３と、出力コネクタ４と、主線路１と結合線路２との間隔に応じた信号が出力される結合出力コネクタ５と、信号が出力されないアイソレーションコネクタ６と、主線路１と結合線路２との間隔を変化させることによって結合度を調整する調整ねじ７と、調整ねじ７を移動させるためのつまみ８と、調整ねじ７を筐体１０に固定するための固定用ナット９とで構成される。尚、方向性結合器の電気的原理は、当業者によく知られているため説明を省略する。
【００１４】
主線路１及び結合線路２は、筐体１０内に収容され、主線路１は筐体１０に固定されている。一方、結合線路２は、筐体１０内を主線路１に対して相対移動可能に構成される。主線路１には、入力コネクタ３及び出力コネクタ４が接続され、結合線路２には結合出力コネクタ５及びアイソレーションコネクタ６が接続される。
【００１５】
結合線路２は、接続部２ａを介して調整ねじ７の一端と接続されている。調整ねじ７の雄ねじ部７ａは、筐体１０の雌ねじ部１０ａと螺合し、調整ねじ７が回転することにより結合線路２を主線路１に対して接離させる方向に移動する。調整ねじ７の回転移動は、調整ねじ７の一端に設けられたつまみ８によって行うことができる。
【００１６】
次に、上記構成を有する方向性結合器の動作について、図１を参照しながら説明する。固定用ナット９を緩め、つまみ８を回すことにより、調整ねじ７を移動させる。これによって、調整ねじ７に接続されている結合線路２が主線路１に対して相対移動し、主線路１と結合線路２との間隔が変化し、方向性結合器の結合度を変化させることができる。
【００１７】
結合線路２の移動量は、調整ねじ７の回転角で決定されるため、結合度の微調整を容易に行うことができる。また、所望の結合度が得られた時点で、固定用ナット７を締め付けて筐体１０の外表面に当接されることにより、結合線路２を固定することができる。
【００１８】
次に、本発明にかかる方向性結合器の第２の実施の形態について、図２を参照しながら説明する。本実施の形態は、基本的構成は第１の実施の形態と同様であるが、図１の調整ねじ７と、固定用ナット９の代わりに、スピンドル１１と、マイクロヘッド１３を用いている。その他、図１に示した構成要素と同様の構成要素については、図１と同一の参照番号を付して詳細説明を省略する。
【００１９】
本実施の形態では、つまみ８を回すことにより、スピンドル１１が移動し、筐体１０に接続されている結合線路２が主線路１に対して相対移動し、主線路１と結合線路２との間隔が変化する。これによって、方向性結合器の結合度を変化させることができる。
【００２０】
このスピンドル１１の移動量は、マイクロヘッド１３の目盛１２により把握することができる。このように、本実施の形態では、目盛１２が付いたマイクロヘッド１３を用いているため、結合度の調整時に目盛を合わせることによって、何度でも同一の結合度に設定することが可能となる。
【図面の簡単な説明】
【００２１】
【図１】本発明にかかる方向性結合器の第１の実施の形態を示す図であって、（ａ）は断面図、（ｂ）は側面図である。
【図２】本発明にかかる方向性結合器の第２の実施の形態を示す断面図である。
【図３】従来の方向性結合器の一例を示す断面図である。
【符号の説明】
【００２２】
１  主線路
２  結合線路
２ａ  接続部
３  入力コネクタ
４  出力コネクタ
５  結合出力コネクタ
６  アイソレーションコネクタ
７  調整ねじ
７ａ  雄ねじ部
８  つまみ
９  固定用ナット
１０  筐体
１０ａ  雌ねじ部
１１  スピンドル
１２  目盛
１３  マイクロヘッド
【図１】
2006319704.tif 000003
【図２】
2006319704.tif 000004
【図３】
2006319704.tif 000005